(57)【特許請求の範囲】
【請求項１】
第１の変調方式で変調されたデータが第１の物理フォーマットで記録された第１の光ディスクと第２の変調方式で変調されたデータが第２の物理フォーマットで記録された第２の光ディスクの再生を行う光ピックアップの調整装置において、
第１の信号記録層と第２の信号記録層とを有し、各信号記録層には、同一の変調方式で変調されたデータが異なる物理フォーマットで同心円状に記録されている光ピックアップの調整用光ディスクが装着され、この調整用光ディスクを回転するディスク回転機構と、
光源より出射された光ビームを対物レンズで集光し、上記調整用光ディスクで反射された戻りの光ビームを光検出器で検出すると共に、上記対物レンズを、この対物レンズの光軸方向とこの光軸に対して直交する方向に対物レンズ駆動部で変位する光ピックアップと、
上記光源と上記対物レンズの相対位置及び上記対物レンズの光軸の傾きを調整する調整手段と、
上記光ピックアップの光検出器で検出した上記第１及び第２の信号記録層に記録されたデータを復調する復調部とを備え、
上記調整用光ディスクは、上記第１の信号記録層に、上記第１の変調方式で変調されたデータが上記第１の物理フォーマットで記録され、上記第２の信号記録層に、上記第１の変調方式で変調されたデータが上記第２の物理フォーマットで記録されており、
上記第１の変調方式は、上記第２の変調方式より変調後のビット数の少ない変調方式であり、
上記復調部は、上記第１の変調方式で変調された上記第１及び第２の信号記録層に記録されたデータを復調し、
上記光ピックアップは、上記調整用光ディスクの所定位置において、上記調整用光ディスクの一方の信号記録層に上記光ビームを照射することにより上記光源と上記対物レンズの相対位置が上記調整手段により調整され、
次いで、上記対物レンズ駆動部で上記対物レンズを、この対物レンズの光軸方向に変位し、上記調整用光ディスクの他方の信号記録層に上記光ビームを照射することにより上記光源と上記対物レンズの相対位置が上記調整手段により調整される光ピックアップの調整装置。
【請求項２】
上記第１及び第２の信号記録層に記録されたデータは、上記第１の光ディスクのエラー訂正方式に対応した第１のエラー訂正符号が付加されており、
該光ピックアップの調整装置は、更に、上記復調部で復調されたデータのエラー訂正処理を行うエラー訂正処理部を備え、
該光ピックアップの調整装置は、上記光ピックアップのエラーレートの検査を行う請求項１記載の光ピックアップの調整装置。
【請求項３】
上記調整用光ディスクは、各信号記録層のデータが記録された記録領域が上記対物レンズのトラッキング制御可能な範囲内に、少なくとも一方の信号記録層に記録された記録領域の終端と他方の信号記録層の記録領域の始端がある請求項１又は２記載の光ピックアップの調整装置。
【請求項４】
更に、上記光ピックアップを上記調整用光ディスクの径方向に移動する移動手段を備え、
上記移動手段は、上記光源と上記対物レンズの相対位置を調整するとき、最初に、上記所定位置まで上記光ピックアップを移動する請求項３記載の光ピックアップの調整装置。
【請求項５】
更に、上記光ピックアップに対向して、上記光源より出射された光ビームを撮像する撮像部を備え、
上記撮像部は、上記光ピックアップから上記調整用光ディスクの信号記録層に光ビームを照射して調整を行う前段階で、上記光ピックアップから照射された光ビームを検出し、この検出結果に基づいて、上記調整手段は、コマ収差に関する粗調整を行う請求項３又は４記載の光ピックアップの調整装置。
【請求項６】
上記調整手段は、上記コマ収差に関する調整を行った後に上記調整用光ディスクの信号記録層に上記光ピックアップから光ビームを照射して上記調整用光ディスクからの戻りの光ビームに基づいて上記光源と上記対物レンズの相対位置に関する調整を行う請求項５項記載の光ピックアップの調整装置。
【請求項７】
上記一方の信号記録層に光ビームを照射したときの調整は、上記光ピックアップから上記調整用光ディスクに照射される０次光と±１次光のうち上記０次光を中心として上記±１次光の位相差が１８０度となるように上記光源を回動調整することによって行われる請求項６記載の光ピックアップの調整装置。
【請求項８】
上記調整手段は、上記調整の終了後に上記光源から出射された光ビームが上記調整用光ディスクの信号記録層に形成された記録トラックを追従走査している状態で上記光ピックアップから上記調整用光ディスクに照射された光ビームの上記調整用光ディスクからの戻りの光ビームを検出した結果に基づいて上記対物レンズの光軸の傾きを調整する請求項７記載の光ピックアップの調整装置。
【請求項９】
上記対物レンズの光軸の傾きは、上記光ピックアップから上記調整用光ディスクに照射された光ビームの上記調整用光ディスクからの戻りの光ビームを検出した検出出力信号のジッタ値に基づいて調整される請求項８記載の光ピックアップの調整装置。
【請求項１０】
第１の変調方式で変調されたデータが第１の物理フォーマットで記録された第１の光ディスクと第２の変調方式で変調されたデータが第２の物理フォーマットで記録された第２の光ディスクの再生を行う光ピックアップの調整方法において、
光源より出射された光ビームを対物レンズで集光し、上記調整用光ディスクで反射された戻りの光ビームを光検出器で検出すると共に、上記対物レンズを、この対物レンズの光軸方向とこの光軸に対して直交する方向に対物レンズ駆動部で変位する光ピックアップを、対物レンズに対して光源が移動可能となるように設置するステップと、
第１の信号記録層と第２の信号記録層とを有し、各信号記録層には、同一の変調方式で変調されたデータが異なる物理フォーマットで同心円状に記録されている光ピックアップの調整用光ディスクをディスク回転機構に装着するステップと、
上記調整用光ディスクの所定位置において、上記調整用光ディスクの一方の信号記録層に上記光ビームを照射することにより上記光源と上記対物レンズの相対位置を調整するステップと、
上記対物レンズ駆動部で上記対物レンズを、この対物レンズの光軸方向に変位し、上記調整用光ディスクの他方の信号記録層に上記光ビームを照射することにより上記光源と上記対物レンズの相対位置を調整するステップと、
上記光ピックアップの光検出器で検出した上記第１及び第２の信号記録層に記録されたデータを復調するステップとを有し、
上記調整用光ディスクは、上記第１の信号記録層に、上記第１の変調方式で変調されたデータが上記第１の物理フォーマットで記録され、上記第２の信号記録層に、上記第１の変調方式で変調されたデータが上記第２の物理フォーマットで記録されており、
上記第１の変調方式は、上記第２の変調方式より変調後のビット数の少ない変調方式であり、
上記第１の変調方式で変調された上記第１及び第２の信号記録層に記録されたデータを復調する光ピックアップの調整方法。
【請求項１１】
上記第１及び第２の信号記録層に記録されたデータは、上記第１の光ディスクのエラー訂正方式に対応した第１のエラー訂正符号が付加されており、
更に、上記復調されたデータのエラー訂正処理を行い、上記光ピックアップのエラーレートの検査を行うステップを有する請求項１０記載の光ピックアップの調整方法。
【請求項１２】
上記調整用光ディスクは、各信号記録層のデータが記録された記録領域が上記対物レンズのトラッキング制御可能な範囲内に、少なくとも一方の信号記録層に記録された記録領域の終端と他方の信号記録層の記録領域の始端がある請求項１１記載の光ピックアップの調整方法。
【請求項１３】
上記光源と上記対物レンズの相対位置を調整するとき、上記所定位置まで上記光ピックアップを移動する請求項１１又は１２記載の光ピックアップの調整方法。
【請求項１４】
更に、上記光ピックアップから上記調整用光ディスクの信号記録層に光ビームを照射して調整を行う前段階で、上記光ピックアップから照射された光ビームを検出することによってコマ収差に関する調整を行う請求項１３記載の光ピックアップの調整方法。
【請求項１５】
上記コマ収差に関する調整を行った後に上記調整用光ディスクの信号記録層に上記光ピックアップから光ビームを照射して上記調整用光ディスクからの戻りの光ビームに基づいて上記光源と上記対物レンズの相対位置に関する調整を行う請求項１４記載の光ピックアップの調整方法。
【請求項１６】
上記一方の信号記録層に光ビームを照射したときの調整は、上記光ピックアップから上記調整用光ディスクに照射される０次光と±１次光のうち上記０次光を中心として上記±１次光の位相差が１８０度となるように上記光源を回動調整することによって行われる請求項１５記載の光ピックアップの調整方法。
【請求項１７】
上記調整の終了後に上記光源から出射された光ビームが上記調整用光ディスクの信号記録層に形成された記録トラックを追従走査している状態で上記光ピックアップから上記調整用光ディスクに照射された光ビームの上記調整用光ディスクからの戻りの光ビームを検出した結果に基づいて上記対物レンズの光軸の傾きを調整する請求項１６記載の光ピックアップの調整方法。
【請求項１８】
上記対物レンズの光軸の傾きは、上記光ピックアップから上記調整用光ディスクに照射された光ビームの上記調整用光ディスクからの戻りの光ビームを検出した検出出力信号のジッタ値に基づいて調整される請求項１７記載の光ピックアップの調整方法。
【発明の詳細な説明】
【０００１】
【発明の属する技術分野】
本発明は、複数種類の光ディスクの記録再生を行うことができる光ピックアップの調整に用いる光ピックアップの調整装置及び調整方法に関する。
【０００２】
【従来の技術】
光ピックアップには、物理フォーマットの異なる２種類の光ディスク、例えばコンパクトディスク（ＣＤ）とディジタル・バーサタイル・ディスク（ＤＶＤ）の記録再生を行うことができるものがある。この２種類の光ディスクの記録再生を行うことができる光ピックアップは、ＣＤ用の７８０ｎｍの光ビームとＤＶＤ用の６３５〜６５０ｎｍの光ビームを出射する光源、光源より出射された光ビームを集光する２焦点形の対物レンズ、ＣＤやＤＶＤの信号記録面で反射された戻りの光ビームを検出する光検出器、対物レンズをフォーカシング方向とトラッキング方向に駆動変位する対物レンズ駆動部等を備えている。
【０００３】
対物レンズ駆動部は、対物レンズを保持するレンズホルダと、このレンズホルダを弾性支持部材でフォーカシング方向とトラッキング方向に変位可能に支持するホルダ支持部材と、対物レンズを保持したレンズホルダをフォーカシング方向に駆動変位するフォーカシング駆動部と、対物レンズを保持したレンズホルダをトラッキング方向に駆動変位するトラッキング駆動部とを備えている。
【０００４】
フォーカシング駆動部は、フォーカシングコイルとフォーカシングマグネットとからなり、フォーカシングコイルに流れる電流とフォーカシングマグネットにより発生された磁界との作用により弾性支持部材に保持されたレンズホルダを対物レンズの光軸方向であるフォーカシング方向に駆動変位する。また、トラッキング駆動部は、トラッキングコイルとトラッキングマグネットとからなり、トラッキングコイルに流れる電流とトラッキングマグネットにより発生された磁界との作用により弾性支持部材に支持されたレンズホルダを対物レンズの光軸と直交する方向に駆動変位する。
【０００５】
以上のような光ピックアップは、光源より出射された光ビームが光ディスクの信号記録面で合焦するようにフォーカシング駆動部で対物レンズを駆動変位し、また、トラッキング駆動部で対物レンズをトラッキング方向に駆動変位することによって、光ビームを走査し、ＣＤやＤＶＤに記録された情報信号の読み出しを行う。
【０００６】
以上のように構成された光ピックアップは、更には、記録及び／又は再生装置に組み付けるためのベースユニットに取り付けられる。このベースユニットは、記録及び／又は再生装置の筐体に組み付けられるベースを有し、このベースに、光ピックアップが組み付けられるスライド部材と、光ピックアップが組み付けられたスライド部材を光ディスクの径方向に送り操作する送り機構と、光ディスクを回転駆動するディスク回転駆動機構とが設けられてなる。
【０００７】
ところで、組立工程において組み立てられた光ピックアップは、対物レンズと光源との相対的位置と対物レンズの光軸の傾きの調整が行われる。この調整は、例えば光ピックアップがベースユニットに組み付けられた後に行うようにし、光ピックアップのベースユニットへの組立前に行う調整に比べて、光ピックアップのベースユニットへの組立精度に依存することなく、対物レンズと光源との相対的位置と対物レンズの光軸の傾きの調整を行うことができるようにしている。
【０００８】
この調整は、ＣＤ、ＤＶＤそれぞれの場合について行われる。具体的には、先ず、ＣＤ用の調整用光ディスクをディスク回転駆動機構に装着し、このＣＤ用の調整用光ディスクを回転し、光学的特性が最適値となるように、対物レンズと光源の相対的位置の調整を行う。次いで、ＤＶＤ用の調整用光ディスクをディスク回転駆動機構に装着し、このＤＶＤ用の調整用光ディスクを回転し、光学的特性が最適値となるように、対物レンズと光源の相対的位置の調整を行う。この後、ＤＶＤ用の調整用光ディスクを用いて、対物レンズの傾きの調整が行われる。
【０００９】
ここで、ＣＤ用の調整用光ディスクは、ＣＤと同じ物理フォーマットで８−１４変調されたデータがスパイラル状に記録されており、また、ＤＶＤ用の調整用光ディスクは、ＤＶＤと同じ物理フォーマット、すなわちＣＤの物理フォーマットより高密度記録の物理フォーマットで８−１６変調されたデータがスパイラル状に記録されている。
【００１０】
【発明が解決しようとする課題】
以上のように、ＣＤ、ＤＶＤの両方の光ディスクの記録再生に用いる光ピックアップの調整では、ＣＤを再生する際の光学特性を調整するとき、ＣＤ用の調整用光ディスクをディスク回転駆動機構に装着し、ＤＶＤを再生する際の光学特性を調整するとき、ＤＶＤ用の調整用光ディスクをディスク回転駆動機構に装着する必要がある。このような調整は、調整用光ディスクの交換作業が必要となり、光ピックアップの調整作業の更には効率化を図ることが困難であった。
【００１１】
また、この調整は、光ピックアップを送り操作するためのスライド部材と対物レンズを保持するレンズホルダ若しくはホルダ支持部材が高精度に保持された状態で調整装置の光源調整機構により光源若しくは光学系が保持されて調整が行われる。このとき、スライド部材、ホルダ支持部材、光源は、それぞれ別々に保持されており、これら各部を相対的に微少量だけ移動することにより調整されるため、光ピックアップ全体を調整用光ディスクの内外周方向に送り動作することが困難である。
【００１２】
しかしながら、上述したように何れの調整用光ディスクも、データがスパイラル状に記録されている。したがって、調整時に、調整用光ディスクを回転させた状態で、調整用光ディスクの記録トラックからデータを読み取るときに、調整用光ディスクの回転に伴って対物レンズが徐々に外周方向に移動する。これによって、調整時に、光ピックアップの対物レンズが調整用光ディスクの外周方向に移動し、対物レンズは、視野振りゼロの状態から視野振りした状態に変化するため、光源の中心等の光学的な設計中心（以下、光学中心と称する。）に対して対物レンズの光軸が位置ずれしてしまう。この調整方法は、光学中心に対して対物レンズの光軸がずれることによって、光学的な特性が劣化して、検出される再生信号のジッター値等も劣化するため、例えば対物レンズの光軸を傾斜させて再生信号の変化を測定し、最良点に合わせることにより対物レンズの光軸の傾斜を調整する場合等に調整することが非常に困難となる。
【００１３】
このような問題点を解決する方法として、対物レンズの光軸が光学中心に対して所定の位置ずれが生じたときに、送り機構を動作させて、トラッキングサーボを外して、位置ずれ量だけ調整用光ディスクの内周側に送り動作（以下、トラックジャンプという。）させることによって、対物レンズの光軸が光学中心に対して常に所定の位置ずれ量の範囲内に収まるようにする方法がある。
【００１４】
しかしながら、この方法は、対物レンズの光軸と光学中心とが常に移動しているため、調整時に真の値を検出することが困難である。また、この方法は、トラッキングサーボがかかるまでの時間が短い一方、例えばジッター検出器等の測定器によって安定した真の値が測定されるために時間を要することから、トラックジャンプ後に、実際に対物レンズの光軸の位置等を調整することができる時間が非常に短くなり、調整が難しくなてしまう。更には、この方法は、トラックジャンプの間隔を広くすると、対物レンズの光軸の位置ずれが更には大きくなってしまう。
【００１５】
更には、この調整を行う調整装置は、ＣＤ用の調整用光ディスクより読み出されるデータが８−１４変調されたデータであり、ＤＶＤ用の調整用光ディスクより読み出されたデータが８−１６変調されたデータであることから、２つの復調回路等を備えた信号処理回路を設ける必要があり、再生系の構成が複雑なものとなっていた。
【００１６】
本発明は、上述した課題に鑑みてなされたものであり、その目的は、異なる種類の光ディスクの記録再生を行うことができる光ピックアップの調整を簡素化し迅速に行うことができるようにする光ピックアップの調整装置及び方法を提供することにある。
【００１７】
【課題を解決するための手段】
本発明に係る第１の変調方式で変調されたデータが第１の物理フォーマットで記録された第１の光ディスクと第２の変調方式で変調されたデータが第２の物理フォーマットで記録された第２の光ディスクの再生を行う光ピックアップの調整装置は、上述した課題を解決すべく、第１の信号記録層と第２の信号記録層とを有し、各信号記録層には、同一の変調方式で変調されたデータが異なる物理フォーマットで同心円状に記録されている光ピックアップの調整用光ディスクが装着され、この調整用光ディスクを回転するディスク回転機構と、光源より出射された光ビームを対物レンズで集光し、上記調整用光ディスクで反射された戻りの光ビームを光検出器で検出すると共に、上記対物レンズを、この対物レンズの光軸方向とこの光軸に対して直交する方向に対物レンズ駆動部で変位する光ピックアップと、上記光源と上記対物レンズの相対位置及び上記対物レンズの光軸の傾きを調整する調整手段と、上記光ピックアップの光検出器で検出した上記第１及び第２の信号記録層に記録されたデータを復調する復調部とを備える。
調整用光ディスクは、第１の信号記録層に、第１の変調方式で変調されたデータが第１の物理フォーマットで記録され、第２の信号記録層に、第１の変調方式で変調されたデータが第２の物理フォーマットで記録されている。また、第１の変調方式は、第２の変調方式より変調後のビット数の少ない変調方式である。そして、復調部は、第１の変調方式で変調された上記第１及び第２の信号記録層に記録されたデータを復調する。
光ピックアップは、上記調整用光ディスクの所定位置において、上記調整用光ディスクの一方の信号記録層に上記光ビームを照射することにより上記光源と上記対物レンズの相対位置が上記調整手段により調整され、次いで、上記対物レンズ駆動部で上記対物レンズを、この対物レンズの光軸方向に変位し、上記調整用光ディスクの他方の信号記録層に上記光ビームを照射することにより上記光源と上記対物レンズの相対位置が上記調整手段により調整される。
【００１８】
また、本発明に係る第１の変調方式で変調されたデータが第１の物理フォーマットで記録された第１の光ディスクと第２の変調方式で変調されたデータが第２の物理フォーマットで記録された第２の光ディスクの再生を行う光ピックアップの調整方法は、上述した課題を解決すべく、光源より出射された光ビームを対物レンズで集光し、上記調整用光ディスクで反射された戻りの光ビームを光検出器で検出すると共に、上記対物レンズを、この対物レンズの光軸方向とこの光軸に対して直交する方向に対物レンズ駆動部で変位する光ピックアップを、対物レンズに対して光源が移動可能となるように設置するステップと、第１の信号記録層と第２の信号記録層とを有し、各信号記録層には、同一の変調方式で変調されたデータが異なる物理フォーマットで同心円状に記録されている光ピックアップの調整用光ディスクをディスク回転機構に装着するステップと、上記調整用光ディスクの所定位置において、上記調整用光ディスクの一方の信号記録層に上記光ビームを照射することにより上記光源と上記対物レンズの相対位置を調整するステップと、上記対物レンズ駆動部で上記対物レンズを、この対物レンズの光軸方向に変位し、上記調整用光ディスクの他方の信号記録層に上記光ビームを照射することにより上記光源と上記対物レンズの相対位置を調整するステップと、上記光ピックアップの光検出器で検出した上記第１及び第２の信号記録層に記録されたデータを復調するステップとを有する。
上記調整用光ディスクは、上記第１の信号記録層に、上記第１の変調方式で変調されたデータが上記第１の物理フォーマットで記録され、上記第２の信号記録層に、上記第１の変調方式で変調されたデータが上記第２の物理フォーマットで記録されており、上記第１の変調方式は、上記第２の変調方式より変調後のビット数の少ない変調方式であり、上記第１の変調方式で変調された上記第１及び第２の信号記録層に記録されたデータを復調する。
【００１９】
【発明の実施の形態】
以下、本発明が適用された光ピックアップの調整用の光ディスク、この調整用光ディスクを用いる光ピックアップの調整装置及びこのこの調整装置を用いる光ピックアップの調整方法について、図面を参照して説明する。
【００２０】
図１に示すように、光ピックアップの調整用光ディスク１は、ＣＤとＤＶＤの両方を再生することができる光ピックアップの調整に用いる調整用光ディスクであり、厚さが０．６ｍｍの光透過性を有する第１のディスク基板２と光透過性を有する第２のディスク基板３とが光透過性の接着剤４により貼り合わせて形成されている。
【００２１】
第１のディスク基板２には、一方の面側に、第１の信号記録層５が設けられている。この第１の信号記録層５は、ＣＤ再生時の光ピックアップの調整を行うときに用いるものであり、従って、ＣＤと物理フォーマットが同じになるように、信号の読み取り面側から１．２ｍｍの所に設けられている。また、この第１の信号記録層５は、ＣＤと同じ変調方式、すなわち８−１４変調されたデータが、トラックピッチが１．６μｍで、ピット長が０．９〜３．３μｍのピットパターンで記録されている。ここで、この第１の信号記録層５に設けられる記録トラックＴは、通常の光ディスクの記録トラックが内周側から外周側にスパイラル状に形成されているのに対して、同心円状に形成され、光ピックアップの調整時に光ピックアップが径方向に移動しないようになっている。なお、この第１の信号記録層５上には、反射膜、保護膜等が形成され、更には、保護膜上にラベル６が設けられている。
【００２２】
また、第２のディスク基板３には、一方の面側に、第２の信号記録層７が設けられている。この第２の信号記録層７は、ＤＶＤ再生時の光ピックアップの調整を行うときに用いるものであり、従って、ＤＶＤと物理フォーマットが同じになるように、信号の読み取り面側がら０．６ｍｍの所に設けられている。また、第２の信号記録層７は、ＣＤと同じ変調方式、すなわち８−１４変調されたデータが、トラックピッチが０．７４μｍで、ピット長が０．４〜１．８７μｍのピットパターンで記録されている。ここで、本来、ＤＶＤでは、ＣＤと異なる変調方式、具体的に８−１６変調方式が用いられているが、この調整用光ディスク１は、光ピックアップの調整用の光ディスクであることから、データを基本的に復調する必要がなく、そのため、第２の信号記録層７には、ＣＤと同じく８−１４変調されたデータを記録するようにしている。すなわち、調整用光ディスク１では、変調方式として、変調後のビット数の少ない変調方式、すなわち８−１４変調を用いることで、復調処理等の処理を軽くすることができる。また、この第２の信号記録層７に設けられる記録トラックＴも、通常の光ディスクの記録トラックが内周側から外周側にスパイラル状に形成されているのに対して、同心円状に形成され、光ピックアップの調整時に光ピックアップが径方向に移動しないようになっている。
【００２３】
なお、第１及び第２の信号記録層５，７には、調整用のデータがＣＤ規格に合わせて信号処理されて記録されることから、調整用のデータにエラー訂正符号としてクロスインターリーブドソロモン符号（ＣＩＲＣ：Cross Interleave Reed-Solomon Code）を付加するようにしてもよい。また、エラー訂正符号としては、ＤＶＤで採用されているリードソロモン積符号（ＲＳ−ＰＣ：Reed Solomon Product Code）を付加するようにしてもよい。
【００２４】
ところで、図２に示すように、調整用光ディスク１は、第１の信号記録層５に記録された調整用データの第１の記録領域８と第２の信号記録層７に記録された調整用データの第２の記録領域９とは、少なくとも一部が重なり合うように設けられている。すなわち、調整用光ディスク１は、第１の記録領域８と第２の記録領域９とを、対物レンズのトラッキング制御で追従できる範囲に設けるようにしている。例えば、調整用光ディスク１は、最初に読み出しを行う方の記録領域を調整用光ディスク１の内周側に設け、この記録領域の終端と他方の記録領域の始端が少なくとも重なり合うように設けるようにしてもよく、また、２つの記録領域が完全に重なり合うように構成してもよい。このように、調整用光ディスク１は、第１の記録領域８と第２の記録領域９の少なくとも一部が重なり合うように設けることで、光ピックアップを、再生する信号記録層の切換時に送り操作する必要が無くなり、光ピックアップの調整を効率良く行うことができるようになる。
【００２５】
また、調整用光ディスク１に設けられる第１の記録領域８と第２の記録領域９とは、図３に示すように、互いが重なり合わないように設けるようにしてもよい。この場合、第１の信号記録層５に設けられた記録トラックと第２の信号記録層７に設けられた記録トラックとが重なり合うことが無くなり、例えば、第１の信号記録層５の第１の記録領域８の再生を行うときに、確実にデータの読み出しを行うことができるようになる。
【００２６】
以上のように、調整用光ディスク１は、第１の信号記録層５と第２の信号記録層７にそれぞれ設けられる記録トラックが同心円状に設けられることから、少なくとも何れか一方の信号記録層の再生を行っているときに、光ピックアップを調整用光ディスク１の径方向に移動させる必要が無くなり、効率良く光ピックアップの調整を行うことができるようになる。また、調整用光ディスク１には、第１の信号記録層５と第２の信号記録層７との同じ変調方式の調整用データが記録されていることから、例えば調整装置の復調回路等の信号処理回路を共通化することができ、また、８−１４変調方式を採用することで、８−１６変調を復調等の処理を軽くすることができる。
【００２７】
次に、本発明に用いられるＣＤとＤＶＤの記録及び／又は再生を行うことができる光ピックアップの構成について図４を参照して説明する。
【００２８】
この光ピックアップ１１は、図４に示すように、ＣＤ用の波長が７８０ｎｍの光ビームとＤＶＤ用の波長が６３５〜６５０ｎｍの光ビームを出射する半導体レーザ等の光源１２と、光源１２より出射された光ビームを調整用光ディスク１の第１の信号記録層５と第２の信号記録層７に集光する２焦点形の対物レンズ１３と、調整用光ディスク１で反射された戻りの光ビームを受光する光検出器１４と、光源１２より出射された光ビームを対物レンズ１３に導くと共に調整用光ディスク１で反射された戻りの光ビームを光検出器１４に導くビームスプリッタ１５と、対物レンズ１３をフォーカシング方向とトラッキング方向に駆動変位する対物レンズ駆動部１６とを備えている。
【００２９】
対物レンズ１３は、例えばホログラムがレンズに一体的に形成されたものであり、ＣＤを再生するとき、すなわち第１の信号記録層５に光ビームを照射するとき、透過光を第１の信号記録層５に合焦し、ＤＶＤを再生するとき、すなわち第２の信号記録層７に光ビームを照射するとき、回折光を第２の信号記録層７に合焦するようにする。この対物レンズ１３は、レンズホルダ１７によって保持され、このレンズホルダ１７は、弾性支持部材を介してホルダ支持部材１８に取り付けられている。対物レンズ１３を保持したレンズホルダ１７は、弾性支持部材に支持されることで、対物レンズ１３の光軸方向であるフォーカシング方向と対物レンズ１３の光軸方向と直交するトラッキング方向に変位可能な状態で、ホルダ支持部材１８に支持されることになる。
【００３０】
また、対物レンズ駆動部１６は、対物レンズ１３をフォーカシング方向に駆動変位するフォーカシング駆動部と対物レンズ１３をトラッキング方向に駆動変位するトラッキング駆動部とから構成されており、各駆動部は、レンズホルダ１７側に取り付けられるコイルとホルダ支持部材１８側に取り付けられるマグネットを備えている。各駆動部は、コイルに流れる電流とマグネットにより発生される磁界との作用によって、レンズホルダ１７に保持されている対物レンズ１３を、フォーカシング方向とトラッキング方向に駆動変位する。かくして、光源１２より出射された光ビームは、対物レンズ駆動部１６等によって走査され、ＣＤやＤＶＤの信号記録層に合焦され、信号記録層で反射された戻りの光ビームを光検出器１４で検出することによって、確実に情報信号の読み出しを行うことができるようになる。
【００３１】
以上のように構成された光ピックアップ１１は、更には、記録及び／又は再生装置に組み付けるためのベースユニット２１に取り付けられる。このベースユニット２１は、記録及び／又は再生装置の筐体に組み付けられるベース２２を有し、このベース２２に、光ピックアップ１１が組み付けられるスライド部材２３と、光ピックアップ１１が組み付けられたスライド部材２３を光ディスクの径方向に送り操作する送り機構２４と、光ディスクを回転駆動するディスク回転駆動機構２５とが設けられてなる。
【００３２】
スライド部材２３は、光ピックアップ１１が取り付けられるものであり、ベース２２に、光ディスクの径方向に沿って設けられた開口部２８に配設される。このスライド部材２３には、例えばホルダ支持部材１８に設けられた位置決め孔にスライド部材２３側の位置決めピンが係合され、接着剤により光ピックアップ１１を構成するホルダ支持部材１８が高精度に位置決めされた状態で固定されることになる。
【００３３】
送り機構２４は、例えばベース２２に取り付けられる駆動モータ２６と、この駆動モータ２６と複数のギヤ列を介して接続される送りねじ２７とを有する。送りねじ２７は、光ピックアップ１１の移動方向、すなわち光ディスクの径方向に沿ってベース２２に回転可能に取り付けられている。そして、送りねじ２７は、その周面に設けられたねじ溝に、光ピックアップ１１が取り付けられるスライド部材２３の係合突起が係合される。これによって、光ピックアップ１１が取り付けられたスライド部材２３は、送りねじ２７が駆動モータ２６によって回転されることによって、光ディスクの径方向に移動する。
【００３４】
また、ディスク回転駆動機構２５は、ベース２２の裏面側に配設された駆動モータ２９と、この駆動モータ２９の駆動軸に取り付けられるディスクテーブル３０とを有する。ディスクテーブル３０は、光ディスクのセンタ孔に係合することによって光ディスクをセンタリングし、光ディスクを一体的に回転する。駆動モータ２９は、ＤＶＤの再生時、線速度が例えばＤＶＤ規格で規定された３．４９ｍ／ｓｅｃとなるようにＤＶＤを回転し、ＣＤ再生時、線速度が例えばＣＤ規格で定められた１．２〜１．４ｍ／ｓｅｃとなるようにＣＤを回転する。
【００３５】
ところで、ベースユニット２１に組み付けられた光ピックアップ１１の調整を行う調整装置４１は、図４に示すように、図示しない調整基台に光ピックアップ１１が組み付けられたベースユニット２１が位置決めされた状態で保持される。この調整装置４１には、光ピックアップ１１のホルダ支持部材１８を保持し、対物レンズ１３の位置を調整する対物レンズ調整機構４２と、ベース２２を保持するベース保持機構４３と、スライド部材２３を保持するスライド部材保持機構４４と、光源１２を保持して光源１２の位置を調整する光源調整機構４５と、光検出器１４を保持して光検出器１４の位置を調整する光検出器調整機構４６と、光源１２より出射された光ビームの光学特性を検出するための検出機構４７とを備える。
【００３６】
ベースユニット２１を保持する調整基台は、ベース２２を位置決めする位置決め軸が複数立設されており、これら位置決め軸がベース２２に設けられた位置決め孔に係合することによって、ベース２２を位置決めした状態で保持する。
【００３７】
対物レンズ調整機構４２は、ホルダ支持部材１８を保持する一対の保持アームを有し、調整時、一対の保持アームによってホルダ支持部材１８を保持する。そして、ホルダ支持部材１８を保持した一対の保持アームは、ホルダ支持部材１８を保持した状態で、調整用光ディスク１の径方向に平行なラジアル方向（Ｘ方向）と調整用光ディスク１の径方向に直交するタンジェンシャル方向（Ｙ方向）に平行移動させる。また、一対の保持アームは、ホルダ支持部材１８を保持した状態で、対物レンズ１３を光軸に対してラジアル方向に傾斜させるラジアルスキューと対物レンズ１３を光軸に対してタンジェンシャル方向に傾斜させるタンジェンシャルスキューの調整を行う。また、一対の保持アームは、光源１２と調整用光ディスク１までの光路長を調整するため、対物レンズ１３を光軸方向に移動する。かくして、ホルダ支持部材１８は、一対の保持アームによって、調整用光ディスク１と平行な平面方向、この平面に直交する対物レンズ１３の光軸方向、更には対物レンズ１３の傾きの調整が高精度に行われる。このとき、ホルダ支持部材１８は、スライド部材２３に対して僅かに浮上した状態となり、スライド部材２３とホルダ支持部材１８との間に形成される間隙に接着剤が充填されることにより、スライド部材２３に対して高精度に位置決めされた状態で固定される。
【００３８】
ベース保持機構４３は、ベース２２に設けられた送り機構２４を構成する送りねじ２７を保持する一対の保持アームを有する。一対の保持アームは、光ピックアップの調整を行うとき、送りねじ２７の両端部を送りねじ２７が撓み変形しないように保持し光ピックアップ１１の調整位置がずれないようにしている。
【００３９】
スライド部材保持機構４４は、スライド部材２３が送りねじ２７に沿って移動しないようにするための位置決めピンが複数有しており、光ピックアップ１１の調整時に、これら位置決めピンがスライド部材２３に設けられた位置決め孔に係合することによって、スライド部材２３を、調整用光ディスク１の径方向の所定位置に高精度に位置決めした状態で保持する。
【００４０】
光源調整機構４５は、光ピックアップ１１内に配設された光源１２を保持する光源保持アームを有する。光源保持アームは、光ピックアップ１１の調整時に、光源１２を位置決めした状態で保持し、光源１２の中心が対物レンズ１３の光軸上の不動点に一致するように移動する。また、光源保持アームは、光源１２の発光点を中心として光源１２を回動する。更に、光源保持アームは、光源１２と調整用光ディスク１までの光路長を調整するため、対物レンズ１３の光軸方向に移動する。
【００４１】
光検出器調整機構４６は、光ピックアップ１１内に配設された光検出器１４を保持する光検出器保持アームを有する。光検出器保持アームは、光ピックアップ１１の調整時に、光検出器１４を位置決めした状態で保持し、光検出器１４の中心が対物レンズ１３の光軸上の不動点に一致するように移動する。また、光検出器保持アームは、光検出器１４を回動する。更に、光検出器保持アームは、光路長を調整するため、光軸方向に光検出器１４を移動する。
【００４２】
検出機構４７は、対物レンズ１３から出射される光ビームを検出するＣＣＤ（Charge-Coupled Devices）カメラ４８と、コマ収差を検出するコマ収差判定部４９とを有している。ＣＣＤカメラ４８は、図示しない移動機構によって対物レンズ１３の光軸上に位置され、光ビームを検出し、検出結果をコマ収差判定部４９に出力する。そして、コマ収差判定部４９は、コマ収差の最小値を検出する。
【００４３】
また、図４に示すように、調整装置４１は、光ピックアップ１１の光検出器１４から出力される再生信号を検出する信号検出部５１と、この信号検出部５１に検出された信号を表示する表示部５２と、ベースユニット２１のディスク回転駆動機構２５を構成する駆動モータ２６を制御する駆動制御部５３と、光ピックアップ１１の送り機構２４を構成する駆動モータ２９を制御する駆動制御部５４と、光源１２の光ビームの出力を制御する出力制御部５５と、全体の動作を制御するコントローラ５６とを備えている。コントローラ５６は、コマ収差判定部４９からの判定結果や信号検出部５１からの入力に基づいて、駆動制御部５３，５４、出力制御部５５、更には、対物レンズ調整機構４２、光源調整機構４５、光検出器調整機構４６等の制御を行う。
【００４４】
更には、調整装置４１は、信号検出部５１で検出された信号を、復調する復調部５７と、復調されたデータのエラー訂正処理を行うエラー訂正処理部５８とを有する。この調整装置４１には、上記図１乃至図３に示した調整用光ディスク１が用いられ、この調整用光ディスク１には、第１の信号記録層５と第２の信号記録層５に８−１４変調方式で、エラー訂正符号としてＣＩＲＣが付加された調整用のデータが記録されている。すなわち、第１の信号記録層５と第２の信号記録層７には、同一の変調方式で変調され、また、同一の方式のエラー訂正符号化処理が施されたデータが記録されている。したがって、復調部５７は、第１の信号記録層５と第２の信号記録層７とから読み出された８−１４変調されたデータの復調処理を行い、エラー訂正処理部５８は、復調されたデータのＣＩＲＣに基づいてエラー訂正処理を行う。そして、例えばエラー訂正処理部５８は、例えばエラーレートを検査するための検査装置等に出力する。すなわち、調整装置４１では、ＤＶＤ用の８−１６変調されたデータを復調する復調部やＲＳ−ＰＣのエラー訂正復号化処理を行うエラー訂正処理部を設ける必要が無くなる。
【００４５】
以上のように構成された光ピックアップ１１の調整装置４１及び調整用光ディスク１を用いた光ピックアップ１１の光源１２と対物レンズ１３との相対位置並びに対物レンズ１３の光軸に対する位置及び傾きを調整する方法について説明する。
【００４６】
先ず、ベースユニット２１は、調整基台に設置される。このとき、ベースユニット２１は、ベース２２に設けられた位置決め孔に位置決め軸が係合されることによって、調整基台に高精度に位置決めされた状態で保持される。また、スライド部材保持機構４４は、位置決めピンがスライド部材２３に設けられた位置決め孔に係合することによって、スライド部材２３を、調整用光ディスク１の径方向の所定位置に高精度に位置決めした状態で保持する。更には、ベース保持機構４３は、一対の保持アームで送りねじ２７を回転しないように保持し、光ピックアップ１１が調整位置よりずれないようにしている。そして、光ピックアップの調整装置４１には、光ピックアップ１１が、ベースユニットベース２２上に送りねじ２７を介して移動可能に組み付けられたスライド部材２３上に載置されて組み合わされる。
【００４７】
スライド部材２３上に載置された光ピックアップ１１のホルダ支持部材１８は、対物レンズ調整機構４２の一対の保持アームによって保持されることにより、スライド部材２３に対して、対物レンズ１３の位置が３次元的に位置決めされる。また、光源１２は、光源保持機構４５を構成する光源保持アームに保持され、また、光検出器１４は、受光部保持機構４６を構成する光検出器保持アームに保持される。
【００４８】
そして、調整装置４１は、先ず、光源１２と対物レンズ１３との位置調整を行う。すなわち、図５に示すように、コントローラ５６は、ステップＳ１において、光源１２よりＣＤ用の波長が７８０ｎｍの光ビーム又はＤＶＤ用の波長が６３５〜６５０ｎｍの光ビームを出射するように出力制御部５５を制御する。これによって、光源１２からは、ＣＤ用の波長が７８０ｎｍの光ビーム又はＤＶＤ用の波長が６３５〜６５０ｎｍの光ビームが出射される。なお、このとき、調整用光ディスク１は、ディスク回転駆動機構２５を構成するディスクテーブル３０に装着されていない。
【００４９】
ステップＳ２において、コントローラ５６は、光源１２に対する対物レンズ１３の調整、すなわち対物レンズ１３の位置を設計上の光軸に合わせる調整を行う。具体的に、ホルダ支持部材１８を保持した対物レンズ調整機構４２は、コントローラ５６の制御に基づいて、ホルダ支持部材１８を保持した保持アームを駆動制御することによって、対物レンズ１３をラジアル方向（Ｘ方向）とタンジェンシャル方向（Ｙ方向）に移動すると共に、光源１２を保持している光源保持機構４５は、光源１２の中心が対物レンズ１３の光軸上の不動点に一致するように移動する。かくして、調整装置４１は、光源１２と対物レンズ１３の位置を移動し、対物レンズ１３の位置を設計上の光軸に合わせる調整を行う。
【００５０】
ステップＳ３において、コントローラ５６は、コマ収差を最小化する処理を行う。すなわち、対物レンズ調整機構４２は、ホルダ支持部材１８を保持した保持アームをコントローラ５６の制御に基づいて駆動制御することによって、対物レンズ１３のラジアルスキューと対物レンズ１３のタンジェンシャルスキューの調整を行い、対物レンズ１３の光軸に対する傾きを調整することによってコマ収差を最小化する。すなわち、検出機構４７を構成するＣＣＤカメラ４８が対物レンズ１３で集光された光ビームを検出する。コントローラ５６は、コマ収差判定部４９からの入力に基づいて対物レンズ調整機構４２をコマ収差が最小となるように駆動制御する。そして、コマ収差判定部４９がコマ収差の最小値を検出したとき、コントローラ５６は、コマ収差が最小となった対物レンズ１３の位置を維持するように対物レンズ調整機構４２を駆動制御する。
【００５１】
かくして、光ピックアップ１１は、対物レンズ１３の位置が設計上の光軸と一致するように調整され、そして、コマ収差が最小となるように、対物レンズ１３の傾きが調整され、光源１２と対物レンズ１３の相対的位置の調整が行われる。この後、光ピックアップ１１は、更には、ＤＶＤを再生するときの調整とＣＤの再生を行うときの調整、すなわち、対物レンズ１３と光源１２や光検出器１４との相対的位置の調整が行われる。
【００５２】
ステップＳ４において、調整基台に設置されたベースユニット２１に設けられたディスク回転駆動機構２５を構成するディスクテーブル３０には、調整用光ディスク１が装着され、コントローラ５６の制御に基づいて、駆動制御部５３は、調整用光ディスク１の回転時の線速度が例えばＤＶＤ規格で規定された３．４９ｍ／ｓｅｃとなるように駆動モータ２９を駆動する。ここで、ディスクテーブル３０に装着される調整用光ディスク１は、上記図１乃至図３に示すように、ＣＤの調整を行う第１の信号記録層５とＤＶＤの調整を行うための第２の信号記録層７とが設けられ、各信号記録層５，７に同心円状の記録トラックが設けられてなるものである。そして、図２に示す調整用光ディスク１は、第１の信号記録層５に設けられた第１の記録領域８と第２の信号記録領域７に設けられた第２の記録領域９とは、少なくとも一部が重なるように設けられ、図３に示す調整用光ディスク１は、第１の信号記録層５に設けられた第１の記録領域８と第２の信号記録領域７に設けられた第２の記録領域９とが重ならないように設けられている。また、第１の信号記録層５に記録されるデータは、ＣＤと同じく８−１４変調されたデータが記録され、第２の信号記録層７に記録される調整用のデータは、ＤＶＤ用の調整データであるが８−１４変調された変調データが記録されている。
【００５３】
次に、ＤＶＤを再生するときの光ピックアップ１１の調整について説明すると、先ず、図１乃至図３に示す調整用光ディスク１がディスクテーブル３０に装着されたとき、先ず、光ピックアップ１１は、ＤＶＤ用の第２の信号記録層７の第２の記録領域９の位置まで送り操作される。すなわち、コントローラ５６は、駆動制御部５４で駆動モータ２６を駆動し、第２の記録領域９の読み出し可能位置まで光ピックアップ１１を移動する。そして、駆動制御部５３は、調整用光ディスク１の回転時の線速度が例えばＤＶＤ規格で定められた３．４９ｍ／ｓｅｃとなるように駆動モータ２９を駆動する。
【００５４】
そして、ステップＳ５において、コントローラ５６は、光源１２より波長が６３５〜６５０ｎｍの光ビームを出射するように出力制御部５５を制御する。これによって、光源１２からは、ＤＶＤ用の波長が６３５〜６５０ｎｍの光ビームが出射され、光検出器１４は、調整用光ディスク１で反射された戻りの光ビームを検出する。
【００５５】
ステップＳ６において、調整装置４１は、光検出器１４の位置を設計上の光軸の位置に合わせる粗調整を行う。このとき、コントローラ５６は、対物レンズ駆動部１６を、フォーカシング制御とトラッキング制御がオフとなるように制御する。この状態で、光検出器１４を保持している光検出器調整機構４６は、コントローラ５６の制御に基づいて、光検出器１４を保持している光検出器保持アームを移動し、光検出器１４の位置を設計上の光軸の位置に合わせる粗調整を行う。
【００５６】
ステップＳ７において、調整装置４１は、光源１２、すなわち光ビームの発光点から調整用光ディスク１までの光路長を最適化するための粗調整を行う。このとき、コントローラ５６は、対物レンズ駆動部１６を、第２の信号記録層７に合焦させるためフォーカシング制御をオンとし、トラッキング制御をオフの状態とする。なお、このフォーカシング制御は、例えば非点収差法により行われる。そして、コントローラ５６は、対物レンズ１３を保持している対物レンズ調整機構４２、光源１２を保持している光源調整機構４５、更には光検出器１４を保持している受光部検出機構４６を制御し、光ビームの発光点から調整用光ディスク１までの光路長を最適化するための粗調整を行う。
【００５７】
ステップＳ８において、調整装置４１は、光検出器１４の位置を設計上の光軸の位置に合わせる精調整を行う。このとき、コントローラ５６は、対物レンズ駆動部１６を、光ビームが第２の信号記録層７に合焦した状態で同心円状の記録トラックを走査できるようにフォーカシング制御とトラッキング制御が共にオンとなるように制御する。なお、トラッキング制御は、例えばプッシュプル法やＤＰＤ（differential phase detection）法により行われる。この状態で、光検出器１４を保持している光検出器調整機構４６は、コントローラ５６の制御に基づいて、光検出器１４を保持している光検出器保持アームを移動し、光検出器１４の位置を設計上の光軸の位置に合わせる精調整を行う。
【００５８】
ステップＳ９において、調整装置４１は、光源１２、すなわち光ビームの発光点から調整用光ディスク１までの光路長を最適化するための精調整を行う。このとき、コントローラ５６は、対物レンズ駆動部１６を、光ビームが第２の信号記録層７に合焦した状態で同心円状の記録トラックを走査できるようにフォーカシング制御とトラッキング制御が共にオンとなるように制御する。そして、コントローラ５６は、対物レンズ１３を保持している対物レンズ調整機構４２、光源１２を保持している光源調整機構４５、更には光検出器１４を保持している受光部検出機構４６を制御し、光ビームの発光点から調整用光ディスク１までの光路長を最適化するための精調整を行う。
【００５９】
次に、調整装置４１は、ＣＤの再生を行うときの光ピックアップ１１の調整を行う。ここで、ディスクテーブル３０に、図２に示す調整用光ディスク１、すなわち第１の信号記録層７の第１の記録領域８と第２の信号記録層５の第２の記録領域９の少なくとも一部が重なっている光ディスクが装着されているときには、ステップＳ１０において、コントローラ５６は、出射する光ビームの切換を行う。すなわち、出力制御部５５は、ＣＤ用の７８０ｎｍの光ビームを出射するように光源１２を制御する。そして、光検出器１４は、調整用光ディスク１の第１の信号記録層５で反射された戻りの光ビームを受光する。なお、この調整用光ディスク１がディスクテーブル３０に装着されているときには、スライド部材２３に取り付けられた光ピックアップ１１は送り操作されない。
【００６０】
また、ディスクテーブル３０に図３に示す調整用光ディスク１、すなわち第１の信号記録層５の第１の記録領域８と第２の信号記録層７の第２の記録領域９が重ならないように設けられた光ディスクが装着されているときには、第１の記録領域８を読み出すことができる位置まで光ピックアップ１１が組み込まれているスライド部材２３を調整用光ディスク１の径方向に送り操作する。この後、コントローラ５６は、ステップＳ１０において、出射する光ビームの切換を行う。すなわち、出力制御部５５は、ＣＤ用の７８０ｎｍの光ビームを出射するように光源１２を制御する。そして、光検出器１４は、調整用光ディスク１の第１の信号記録層５で反射された戻りの光ビームを受光する。
【００６１】
そして、コントローラ５６の制御に基づいて、駆動制御部５３は、調整用光ディスク１の回転時の線速度が例えばＣＤ規格で定められた１．２〜１．４ｍ／ｓｅｃとなるように駆動モータ２９を駆動する。
【００６２】
ステップＳ１１において、調整装置４１は、光検出器１４の位置を設計上の光軸の位置に合わせる粗調整を行う。このとき、コントローラ５６は、対物レンズ駆動部１６を、フォーカシング制御とトラッキング制御がオフとなるように制御する。この状態で、光検出器１４を保持している光検出器調整機構４６は、コントローラ５６の制御に基づいて、光検出器１４を保持している光検出器保持アームを移動し、光検出器１４の位置を設計上の光軸の位置に合わせる粗調整を行う。
【００６３】
ステップＳ１２において、調整装置４１は、光源１２、すなわち光ビームの発光点から調整用光ディスク１までの光路長を最適化するための粗調整を行う。このとき、コントローラ５６は、対物レンズ駆動部１６を、第１の信号記録層５に合焦させるためフォーカシング制御をオンとし、トラッキング制御をオフの状態とする。なお、このフォーカシング制御は、例えば非点収差法により行われる。そして、コントローラ５６は、対物レンズ１３を保持している対物レンズ調整機構４２、光源１２を保持している光源調整機構４５、更には光検出器１４を保持している受光部検出機構４６を制御し、光ビームの発光点から調整用光ディスク１までの光路長を最適化するための粗調整を行う。
【００６４】
ステップＳ１３において、調整装置４１は、ベースユニット２１のディスク回転駆動機構２５を駆動させて調整用光ディスク１が回転駆動された状態で、光源調整機構４５の光源保持アームに保持された光源１２を回動する。これによって、光ビームは、３ビームを構成する０次光の光軸を中心として±１次光が回動され、±１次光の位相差が１８０°となるように調整される。光ピックアップ１１は、信号検出部５１により３ビームの±１次光の光検出器１４からの出力に基づいて、３ビーム法によりトラッキングサーボをかけることができるようになる。すなわち、光ピックアップ１１は、光ビームの０次光が調整用光ディスク１の同心円状の記録トラックを走査するように±１次光を受光した光検出器１４からの出力信号に基づいてトラッキングサーボを行うことができるようになる。
【００６５】
ステップＳ１４において、調整装置４１は、光検出器１４の位置を設計上の光軸の位置に合わせる精調整を行う。このとき、コントローラ５６は、対物レンズ駆動部１６を、光ビームが第１の信号記録層５に合焦した状態で同心円状の記録トラックを走査できるようにフォーカシング制御とトラッキング制御が共にオンとなるように制御する。この状態で、光検出器１４を保持している光検出器調整機構４６は、コントローラ５６の制御に基づいて、光検出器１４を保持している光検出器保持アームを移動し、光検出器１４の位置を設計上の光軸の位置に合わせる精調整を行う。
【００６６】
ステップＳ１５において、調整装置４１は、光源１２、すなわち光ビームの発光点から調整用光ディスク１までの光路長を最適化するための精調整を行う。このとき、コントローラ５６は、対物レンズ駆動部１６を、フォーカシング制御とトラッキング制御が共にオンとなるように制御する。そして、コントローラ５６は、対物レンズ１３を保持している対物レンズ調整機構４２、光源１２を保持している光源調整機構４５、更には光検出器１４を保持している受光部検出機構４６を制御し、光ビームの発光点から調整用光ディスク１までの光路長を最適化するための精調整を行う。
【００６７】
次に、調整装置４１は、スキュー調整を行う。ここで、スキュー調整は、ＣＤの傾き許容度がＤＶＤの傾き許容度に比べて小さいことから、ＤＶＤの傾き許容度を満たすように調整が行われる。ここで、ディスクテーブル３０に、図２に示す調整用光ディスク１、すなわち第１の信号記録層５の第１の記録領域８と第２の信号記録層７の第２の記録領域９の少なくとも一部が重なっている光ディスクが装着されているときには、ステップＳ１６において、コントローラ５６は、出射する光ビームの切換を行う。すなわち、出力制御部５５は、ＤＶＤ用の６３５〜６５０ｎｍの光ビームを出射するように光源１２を制御する。
【００６８】
また、ディスクテーブル３０に図３に示す調整用光ディスク１、すなわち第１の信号記録層５の第１の記録領域８と第２の信号記録層７の第２の記録領域９が重ならないように設けられた光ディスクが装着されているときには、第２の記録領域９を読み出すことができる位置まで光ピックアップ１１が組み込まれているスライド部材２３を調整用光ディスク１の径方向に送り操作する。この後、コントローラ５６は、ステップＳ１６において、出射する光ビームの切換を行う。すなわち、出力制御部５５は、ＤＶＤ用の６３５〜６５０ｎｍの光ビームを出射するように光源１２を制御する。
【００６９】
そして、駆動制御部５３は、調整用光ディスク１の回転時の線速度が例えばＤＶＤ規格で定められた３．４９ｍ／ｓｅｃとなるように駆動モータ２９を駆動する。そして、ステップＳ１７において、コントローラ５６は、信号検出部５１で生成されたジッター値が最小となるように、対物レンズ調整機構４２を駆動する。
【００７０】
ステップＳ１８において、調整装置４１は、ＤＶＤ再生時の光学特性の確認を行う。例えば、調整装置４１は、第２の信号記録層７で反射された戻りの光ビームを検出した光検出器１４からの出力によって信号検出部５１が生成するＲＦ信号が最適値となるように出力制御部５５を制御し、光源１２の出力レベルの調整確認等を行う。
【００７１】
次に、調整装置４１は、ＣＤ再生時の光学特性の確認を行う。ここで、ディスクテーブル３０に、図２に示す調整用光ディスク１、すなわち第１の信号記録層５の第１の記録領域８と第２の信号記録層７の第２の記録領域９の少なくとも一部が重なっている光ディスクが装着されているときには、ステップＳ１９において、コントローラ５６は、出射する光ビームの切換を行う。すなわち、出力制御部５５は、ＣＤ用の７８０ｎｍの光ビームを出射するように光源１２を制御する。
【００７２】
また、ディスクテーブル３０に図３に示す調整用光ディスク１、すなわち第１の信号記録層５の第１の記録領域８と第２の信号記録層７の第２の記録領域９が重ならないように設けられた光ディスクが装着されているときには、第１の記録領域８を読み出すことができる位置まで光ピックアップ１１が組み込まれているスライド部材２３を調整用光ディスク１の径方向に送り操作する。この後、コントローラ５６は、ステップＳ１９において、出射する光ビームの切換を行う。すなわち、出力制御部５５は、ＣＤ用の７８０ｎｍの光ビームを出射するように光源１２を制御する。
【００７３】
そして、コントローラ５６の制御に基づいて、駆動制御部５３は、調整用光ディスク１の回転時の線速度が例えばＣＤ規格で定められた１．２〜１．４ｍ／ｓｅｃとなるように駆動モータ２９を駆動する。
【００７４】
そして、ステップＳ２０において、調整装置４１は、ＤＶＤ再生時の光学特性の確認を行う。例えば、調整装置４１は、第２の信号記録層７で反射された戻りの光ビームを検出した光検出器１４からの出力によって信号検出部５１が生成するＲＦ信号が最適値となるように出力制御部５５を制御し、光源１２の出力レベルの調整確認等を行う。
【００７５】
この後、光ピックアップ１１の光学的な調整の終了した調整装置４１は、例えば光ピックアップ１１のエラーレートの検査等を行う。また、かくして、光学特性の調整が終了した光ピックアップ１１は、スライド部材２３に接着剤で固定される。
【００７６】
以上のように、光ピックアップ１１の調整は、ＣＤの物理フォーマットの第１の信号記録層５とＤＶＤの物理フォーマットの第２の信号記録層７とが設けられた調整用光ディスク１を用いることから、ＣＤの再生時の調整とＤＶＤの再生時の調整を、従来のように調整用光ディスクの交換を行うことなく円滑に行うことができる。
【００７７】
また、この調整は、調整用光ディスク１の第１の信号記録層５と第２の信号記録層７の両方に、同心円状の記録トラックが設けられていることから、時間の経過とともに対物レンズ１３の光軸が調整用光ディスク１の内周側から外周側に移動することが無くなり、対物レンズ１３の光軸が光ビームの中心に対して常に一致した状態で調整することができる。
【００７８】
また、調整用光ディスク１は、第１の信号記録層５と第２の信号記録層７に、同じ変調方式のデータが記録されていることから、調整装置４１の復調部５７やエラー訂正処理部５８等を１つにすることができる。
【００７９】
また、この調整用光ディスク１は、ＣＤとＤＶＤの再生を行うことができる光ピックアップ１１の調整に行うものであるが、記録するデータの変調方式として変調後のビット数の少ない変調方式、具体的にはＤＶＤで採用されている８−１６変調ではなくＣＤで最小している８−１４変調を採用していることから、復調時の処理を軽くすることができる。
【００８０】
更には、図２に示す調整用光ディスク１、すなわち第１の信号記録層５の第１の記録領域８と第２の信号記録層７の第２の記録領域９の少なくとも一部が重なるような光ディスクが装着されているときには、ＤＶＤの再生時の調整とＣＤの再生時の調整とを切り換えるときに、光ビームの種類を切り換えを行うのみで光ピックアップ１１を送り操作する必要が無くなり、円滑に切換を行うことができる。
【００８１】
更には、図３に示す調整用光ディスク１、すなわち第１の信号記録層５の第１の記録領域８と第２の信号記録層７の第２の記録領域９が重ならないように設けられた光ディスクが装着されているときには、第１の信号記録層５の第１の記録領域８の再生を行うときに、確実にデータの読み出しを行うことができるようになる。
【００８２】
なお、上述したステップＳ５〜ステップＳ９におけるＤＶＤを再生するときの調整とステップＳ１０〜ステップＳ１５におけるＣＤを再生するときの調整は、図５に示す例に限定されるものではなく、ＤＶＤを再生するときの調整をＣＤを再生するときの調整の後に行うようにしてもよい。また、ステップＳ１８におけるＤＶＤを再生するときの光学特性の確認の工程も、ステップＳ２０におけるＣＤを再生するときの光学特性の確認の工程と入れ替えるようにしてもよい。
【００８３】
また、光ピックアップ１１がレーザカプラで構成されているときには、対物レンズ１３を除く部品が一体化されていることから、ステップＳ１〜ステップＳ３のコマ収差の調整を行った後、少なくともステップＳ５〜ステップＳ１５で行う調整を省略するようにしてもよい。すなわち、光ピックアップ１１がレーザカプラで構成されているときには、対物レンズの位置調整を行うだけでよい。
【００８４】
また、以上の例では、ＣＤとＤＶＤの両方を再生可能な光ピックアップ１１の調整を例に取り説明が、本発明はこれに限定されるものではない。すなわち、光ピックアップが用いられる光ディスクの種類に応じて、調整用光ディスク１もその光ディスクで採用されている物理フォーマットで信号記録層が形成され、また、記録されるデータの変調方式も決定される。
【００８５】
【発明の効果】
本発明は、第１の信号記録層と第２の信号記録層とを有し、各信号記録層には、同一の変調方式で変調されたデータが異なる物理フォーマットで同心円状に記録されている光ピックアップの調整用光ディスクを用いて２種の光ディスクの記録及び／又は再生を行うことができる光ピックアップの調整を行うことから、従来のように調整用光ディスクの交換を行うことなく連続的に行うことができ、光ピックアップの調整工程の迅速化を図ることができる。
ここで、調整ディスクは、第１の信号記録層に、上記第１の変調方式で変調されたデータが第１の物理フォーマットで記録され、第２の信号記録層に、第１の変調方式で変調されたデータが第２の物理フォーマットで記録されており、第１の変調方式は、第２の変調方式より変調後のビット数の少ない変調方式であるので、復調部を１つにすることができると共に、復調処理を軽くすることができる。
【図面の簡単な説明】
【図１】本発明が適用された光ピックアップの調整用の光ディスクの斜視図である。
【図２】第１の信号記録層の第１の記録領域と第２の信号記録層の第２の記録領域とが一部が重なるように設けられた調整用の光ディスクの断面図である。
【図３】第１の信号記録層の第１の記録領域と第２の信号記録層の第２の記録領域とが一部が重ならないように設けられた調整用の光ディスクの断面図である。
【図４】光ピックアップの調整装置の構成を説明する図である。
【図５】光ピックアップの調整方法を説明する工程図である。
【符号の説明】
１  調整用光ディスク、２  第１のディスク基板、３  第２のディスク基板、４接着剤、５  第１の信号記録層、７  第２の信号記録層、８  第１の記録領域、９  第２の記録領域、１１  光ピックアップ、１２  光源、１３  対物レンズ、１４  光検出器、１５  ビームスプリッタ、１６  対物レンズ駆動部、１７  レンズホルダ、１８  ホルダ支持部材、２１  ベースユニット、２２  ベース、２３  スライド部材、２４  送り機構、２５  ディスク回転駆動機構、２６  駆動モータ、２７  送りねじ、２８  開口部、２９  駆動モータ、３０  ディスクテーブル、４１  調整装置、４２  対物レンズ調整機構、４３  ベース保持機構、４４  スライド部材保持機構、４５  光源調整機構、４６  光検出器調整機構、４７  検出機構、４８  ＣＣＤカメラ、４９  コマ収差判定部、５１  信号検出部、５２  表示部、５３  駆動制御部、５４  駆動制御部、５５  出力制御部、５６  コントローラ、５７  復調部、５８  エラー訂正処理部
【図１】
0004517547.tif 000002
【図２】
0004517547.tif 000003
【図３】
0004517547.tif 000004
【図４】
0004517547.tif 000005
【図５】
0004517547.tif 000006